(57)【要約】【課題】従来よりも確実な濾布の固定とバンド脱落の防止を実現し得るようにした濾過機を提供する。【解決手段】上下方向に延びるフィルタエレメント２をフィルタベッセル１内に吊り下げ支持し、該フィルタベッセル１内に圧入した原液を、前記フィルタエレメント２に装着されて上下方向に延びる筒状の濾布９を透過させ、該濾布９を透過した濾液を前記フィルタエレメント２の内部を通して回収し、該フィルタエレメント２の濾布９表面に前記原液中の固形分を付着させて分離するようにした濾過機に関し、前記フィルタエレメント２における濾布９の上下部が外嵌装着される被取付箇所（レジスタパイプ３の枝管１２及びキャンドルボトム）の外周部に全周に亘り張出部１６を形成し、該張出部１６の少なくとも上側でワイヤ状バンド１７により濾布９を締め付けて固定する。【選択図】図１
2011067731.tif 000002
【特許請求の範囲】
【請求項１】
上下方向に延びるフィルタエレメントをフィルタベッセル内に吊り下げ支持し、該フィルタベッセル内に圧入した原液を、前記フィルタエレメントに装着されて上下方向に延びる筒状の濾布を透過させ、該濾布を透過した濾液を前記フィルタエレメントの内部を通して回収し、該フィルタエレメントの濾布表面に前記原液中の固形分を付着させて分離するようにした濾過機であって、
前記フィルタエレメントにおける濾布の上下部が外嵌装着される被取付箇所の外周部に全周に亘り張出部を形成し、該張出部の少なくとも上側でワイヤ状バンドにより濾布を締め付けて固定したことを特徴とする濾過機。
【請求項２】
リング状に曲げられて両端部を交叉させたワイヤ状のバンド本体と、該バンド本体の一端部に取り付けられたナットと、該ナットに螺合して先端部を前記バンド本体の他端部に係止し且つ前記ナットに対する締め込みによりバンド本体の両端部を離反方向に移動せしめる締付ボルトとを備え、前記ナットに対する前記バンド本体の一端部の取付位置を、前記ナットに螺合する締付ボルトの軸心位置よりも、前記バンド本体が成すリング形の半径方向外側へ設定してワイヤ状バンドを構成したことを特徴とする請求項１に記載の濾過機。
【請求項３】
ワイヤ状バンドが二重のバンド本体により構成され、該二重のバンド本体で張出部を間に挟んで該張出部の上側と下側を締め付けるように固定したことを特徴とする請求項１又は２に記載の濾過機。
【発明の詳細な説明】
【技術分野】
【０００１】
本発明は、固形分を含む原液を固液に分離する濾過機に関するものである。
【背景技術】
【０００２】
図５は固形分を含む原液を固液に分離する濾過機の一例を示すもので、ここに図示している濾過機は、フィルタベッセル１、フィルタエレメント２、レジスタパイプ３の３つの構成要素を主構成とし、原液をポンプにより原液入口４からフィルタベッセル１内に圧入し、フィルタエレメント２を透過させて固形分をフィルタエレメント２表面に付着せしめ、その濾液をフィルタベッセル１上部に設けられたレジスタパイプ３、濾液出口５から外部に吐出させるようになっている。
【０００３】
一方、フィルタエレメント２表面に付着した固形分は、原液がなくなった後で通気乾燥させ、然る後に濾液出口５から圧縮空気を逆流入してバックブローを行うことで固形状のままフィルタベッセル１下部に落とし、ケーキ出口６から回収するようになっている（逆洗によりスラリー状で回収することも可）。
【０００４】
前記フィルタエレメント２の詳細は図６に示す通りであり、中央のライザパイプ７を取り囲むように複数本のキャンドルピース８が取り付けられ、更に、その外周が筒状の濾布９により被覆されるようになっており、該濾布９を透過した濾液が前記各キャンドルピース８内にスリット１０から流入して下方に流れ、最下部で中央のライザパイプ７内に折り返して上昇し、ライザパイプ７上部のキャンドルトップ１１からレジスタパイプ３へと導かれるようになっている。
【０００５】
ここで、レジスタパイプ３側には、フィルタエレメント２の支持部として所要長さの枝管１２が下方向きに突設されており、該枝管１２に対し前記ライザパイプ７上部のキャンドルトップ１１が内嵌されてピン等を介し吊り下げ支持され、前記枝管１２に対し前記濾布９の上部が外嵌されて帯状バンド１３により締め付けられて固定されるようになっている。
【０００６】
また、前記濾布９の下部は、ライザパイプ７及び各キャンドルピース８の下端部で濾液の折返し流路を形成する図示しないキャンドルボトムの外周面に対しても外嵌装着されて帯状バンド１３により締め付けられるようになっており、上下の帯状バンド１３による締め付けで原液の直接的な進入を阻止し得るようにしてある（図６中における符号の１４は帯状バンド１３を締め付けるための締付ボルトを示す）。
【０００７】
尚、この種の濾過機に関連する先行技術文献情報としては下記の特許文献１等がある。
【先行技術文献】
【特許文献】
【０００８】
【特許文献１】特公平４−１１２４４号公報
【発明の概要】
【発明が解決しようとする課題】
【０００９】
しかしながら、斯かる従来構造においては、濾布９を支持するにあたり、帯状バンド１３を使用していたため、濾布９を締め付ける面圧が弱く、原液から分離した固形分の回収のために圧縮空気を逆流入してバックブローを行う際に、濾布９が膨らんで帯状バンド１３が緩み、該帯状バンド１３がずり落ちてフィルタエレメント２から脱落し、固形分と共に回収されて固形分回収行程の機器類に損傷を及ぼす虞れがあった。
【００１０】
本発明は上述の実情に鑑みてなしたもので、従来よりも確実な濾布の固定とバンド脱落の防止を実現し得るようにした濾過機を提供することを目的とする。
【課題を解決するための手段】
【００１１】
本発明は、上下方向に延びるフィルタエレメントをフィルタベッセル内に吊り下げ支持し、該フィルタベッセル内に圧入した原液を、前記フィルタエレメントに装着されて上下方向に延びる筒状の濾布を透過させ、該濾布を透過した濾液を前記フィルタエレメントの内部を通して回収し、該フィルタエレメントの濾布表面に前記原液中の固形分を付着させて分離するようにした濾過機であって、
前記フィルタエレメントにおける濾布の上下部が外嵌装着される被取付箇所の外周部に全周に亘り張出部を形成し、該張出部の少なくとも上側でワイヤ状バンドにより濾布を締め付けて固定したことを特徴とするものである。
【００１２】
而して、このようにすれば、従来の帯状バンドに替えてワイヤ状バンドを採用したことにより濾布への締め付けが線接触となって面圧が上がることに加え、被取付箇所の外周部に形成した張出部の少なくとも上側にワイヤ状バンドが食い込んで濾布の固定が確実となり、しかも、前記ワイヤ状バンドが前記張出部に確実に掛止されて脱落が防止されることになる。
【００１３】
更に、本発明においては、リング状に曲げられて両端部を交叉させたワイヤ状のバンド本体と、該バンド本体の一端部に取り付けられたナットと、該ナットに螺合して先端部を前記バンド本体の他端部に係止し且つ前記ナットに対する締め込みによりバンド本体の両端部を離反方向に移動せしめる締付ボルトとを備え、前記ナットに対する前記バンド本体の一端部の取付位置を、前記ナットに螺合する締付ボルトの軸心位置よりも、前記バンド本体が成すリング形の半径方向外側へ設定してワイヤ状バンドを構成することが好ましい。
【００１４】
このようにすれば、ナットに対し締付ボルトを締め込んでバンド本体の両端部を離反方向に移動せしめ、バンド本体のリング形を縮径していくときに、バンド本体の一端部に取り付けられたナットと、バンド本体の他端部に係止されている締付ボルトの先端部とが互いに離反していくが、ナットがバンド本体への取付位置を支点として傾斜して締付ボルトがナットに対し略直角な姿勢を保ち続け、締付ボルトとナットとの間に無理な螺合状態が生じ難くなる。
【００１５】
また、本発明においては、ワイヤ状バンドが二重のバンド本体により構成され、該二重のバンド本体で張出部を間に挟んで該張出部の上側と下側を締め付けるように固定すると良く、このようにすれば、張出部を二重のバンド本体で挟み付けるようにして濾布を固定することが可能となり、より強固な濾布の固定と、より確実なワイヤ状バンドの脱落防止とを図ることが可能となると共に、張出部をワイヤ状バンドによる固定箇所の位置決めに利用して作業性の向上を図ることも可能となる。
【発明の効果】
【００１６】
上記した本発明の濾過機によれば、下記の如き種々の優れた効果を奏し得る。
【００１７】
（Ｉ）本発明の請求項１に記載の発明によれば、従来の帯状バンドに替えてワイヤ状バンドを採用したことにより濾布への締め付けを線接触として面圧を大幅に向上し且つ被取付箇所の外周部に形成した張出部の少なくとも上側にワイヤ状バンドを食い込ませて確実に濾布を固定することができると共に、前記ワイヤ状バンドを前記張出部に確実に掛止させて脱落を防止することができる。
【００１８】
（ＩＩ）本発明の請求項２に記載の発明によれば、ナットに対し締付ボルトを締め込んでバンド本体の両端部を離反方向に移動せしめ、バンド本体のリング形を縮径していくときに、ナットをバンド本体への取付位置を支点として傾斜させることにより、締付ボルトのナットに対する略直角な姿勢を保つことができ、締付ボルトとナットとの間に無理な螺合状態が生じないようにすることができるので、締付ボルトとナットが焼き付きや変形を起こす虞れを未然に回避することができる。
【００１９】
（ＩＩＩ）本発明の請求項３に記載の発明によれば、張出部を二重のバンド本体で挟み付けるようにして濾布を固定することができ、より強固な濾布の固定と、より確実なワイヤ状バンドの脱落防止とを図ることができると共に、張出部をワイヤ状バンドによる固定箇所の位置決めに利用して作業性の向上を図ることもできる。
【図面の簡単な説明】
【００２０】
【図１】本発明の形態例における濾布上部の固定箇所を示す概略図である。
【図２】本発明の形態例における濾布下部の固定箇所を示す概略図である。
【図３】図１及び図２のワイヤ状バンドの詳細を示す平面図である。
【図４】図３のＩＶ−ＩＶ方向の矢視図である。
【図５】固形分を含む原液を固液に分離する濾過機の一例を示す概略図である。
【図６】従来の濾布上部の固定箇所を示す一部を切り欠いた斜視図である。
【発明を実施するための形態】
【００２１】
以下本発明の実施の形態を図面を参照しつつ説明する。
【００２２】
図１〜図４は本発明を実施する形態の一例であって、図中で図５及び図６と同一の符号を付した部分は同一物を表わしており、濾過機としての基本的な構成は既に図５の概略図で説明した通りであるが、本形態例においては、フィルタエレメント２における濾布９の上下部が外嵌装着される被取付箇所を成すレジスタパイプ３の枝管１２（図１参照）とキャンドルボトム１５（ライザパイプ７及び各キャンドルピース８の下端部で濾液の折返し流路を形成する部材：図２参照）の外周部に全周に亘り張出部１６を形成すると共に、従来の帯状バンドに替えてワイヤ状バンド１７を採用し、該ワイヤ状バンド１７の二重のバンド本体１８で前記張出部１６を間に挟んで該張出部１６の上側と下側を締め付けるように固定したところを特徴としている。
【００２３】
図３及び図４に詳細を示している通り、前記ワイヤ状バンド１７は、リング状に曲げられて両端部を交叉させたワイヤ状のバンド本体１８と、該バンド本体１８の一端部に取り付けられたナット１９と、該ナット１９に螺合して先端部を前記バンド本体１８の他端部に係止し且つ前記ナット１９に対する締め込みによりバンド本体１８の両端部を離反方向に移動せしめる締付ボルト２０とを備えて構成されている。
【００２４】
また、ここに図示している例の場合は、一本のバンド本体１８を中間で折り返すことで二重にしているので、その一対の自由端を二重のバンド本体１８として見たときの一端部として前記ナット１９の両側に貫通装着し、前記バンド本体１８の折返し部を二重のバンド本体１８として見たときの他端部として前記締付ボルト２０の先端部分の係止突起２１に掛け回し（図４参照）且つ係止プレート２２で係止している。
【００２５】
この際、前記ナット１９に対する前記バンド本体１８の一端部の取付位置（一対の自由端の貫通装着位置）は、前記ナット１９に螺合する締付ボルト２０の軸心位置よりも、前記バンド本体１８が成すリング形の半径方向外側へずらして設定されるようになっている。
【００２６】
而して、このように濾布９を固定すれば、従来の帯状バンドに替えてワイヤ状バンド１７を採用したことにより濾布９への締め付けが線接触となって面圧が上がることに加え、レジスタパイプ３の枝管１２及びキャンドルボトム１５の外周部に形成した張出部１６の上側及び下側にワイヤ状バンド１７が食い込んで濾布９の固定が確実となり、しかも、前記ワイヤ状バンド１７が前記張出部１６に確実に掛止されて脱落が防止されることになる。
【００２７】
尚、レジスタパイプ３の枝管１２及びキャンドルボトム１５の外周部に溝部を設けてワイヤ状バンド１７で絞り込んだ場合、その絞り込みにより濾布９に皺が生じて原液が進入し易くなることが本発明者による知見として得られており、レジスタパイプ３の枝管１２及びキャンドルボトム１５の外周部には、溝部ではなく張出部１６を形成することが重要であると言える。
【００２８】
また、ワイヤ状バンド１７を本形態例の如く構成しておけば、ナット１９に対し締付ボルト２０を締め込んでバンド本体１８の両端部を離反方向に移動せしめ、バンド本体１８のリング形を縮径していくときに、バンド本体１８の一端部に取り付けられたナット１９と、バンド本体１８の他端部に係止されている締付ボルト２０の先端部とが互いに離反していくが、ナット１９がバンド本体１８への取付位置を支点として傾斜して締付ボルト２０がナット１９に対し略直角な姿勢を保ち続け、締付ボルト２０とナット１９との間に無理な螺合状態が生じ難くなる。
【００２９】
即ち、ナット１９に対するバンド本体１８の一端部の取付位置（一対の自由端の貫通装着位置）が、前記ナット１９に螺合する締付ボルト２０の軸心位置よりも、前記バンド本体１８が成すリング形の半径方向内側へずらして設定されていたならば、バンド本体１８のリング形を縮径していくときに、ナット１９がバンド本体１８への取付位置を支点として本形態例とは逆向きに傾斜していくことになり、締付ボルト２０の軸心に対しナット１９が大きく倒れ込んで略直角な姿勢を保てなくなるが、本形態例においては、締付ボルト２０がナット１９に対し略直角な姿勢を保ち続けるようになっている。
【００３０】
更に付言しておくと、本形態例のように、ナット１９に対し締付ボルト２０を締め込んでバンド本体１８の両端部を離反方向に移動せしめ、バンド本体１８のリング形を縮径していく形式であれば、バンド本体１８の両端部を近接方向に移動させてバンド本体１８のリング形を縮径していく形式よりも濾布９を均一に締め付けることが可能である。
【００３１】
なぜなら、バンド本体１８の両端部を近接方向に移動させてバンド本体１８のリング形を縮径していく形式では、バンド本体１８が楕円形になり易く、バンド本体１８と濾布９との間に隙間が開いて皺がよる虞れがあるが、本形態例の如き構成のワイヤ状バンド１７であれば、バンド本体１８を楕円形とせずにリング形を維持させたまま縮径することができるからである。
【００３２】
従って、上記形態例によれば、従来の帯状バンドに替えてワイヤ状バンド１７を採用したことにより濾布９への締め付けを線接触として面圧を大幅に向上し且つ被取付箇所の外周部に形成した張出部１６の上側及び下側にワイヤ状バンド１７を食い込ませて確実に濾布９を固定することができると共に、前記ワイヤ状バンド１７を前記張出部１６に確実に掛止させて脱落を防止することができる。
【００３３】
また、ナット１９に対し締付ボルト２０を締め込んでバンド本体１８の両端部を離反方向に移動せしめ、バンド本体１８のリング形を縮径していくときに、ナット１９をバンド本体１８への取付位置を支点として傾斜させることにより、締付ボルト２０のナット１９に対する略直角な姿勢を保つことができ、締付ボルト２０とナット１９との間に無理な螺合状態が生じないようにすることができるので、締付ボルト２０とナット１９が焼き付きや変形を起こす虞れを未然に回避することができる。
【００３４】
また、本形態例においては、ワイヤ状バンド１７が二重のバンド本体１８により構成され、該二重のバンド本体１８で張出部１６を間に挟んで該張出部１６の上側と下側を締め付けるように固定しているので、張出部１６を二重のバンド本体１８で挟み付けるようにして濾布９を固定することができ、より強固な濾布９の固定と、より確実なワイヤ状バンド１７の脱落防止とを図ることができると共に、張出部１６をワイヤ状バンド１７による固定箇所の位置決めに利用して作業性の向上を図ることもできる。
【００３５】
尚、本発明の濾過機は、上述の形態例にのみ限定されるものではなく、ワイヤ状バンドの構造は必ずしも図示例に限定されないこと、その他、本発明の要旨を逸脱しない範囲内において種々変更を加え得ることは勿論である。
【符号の説明】
【００３６】
１  フィルタベッセル
２  フィルタエレメント
９  濾布
１２  枝管（被取付箇所）
１５  キャンドルボトム（被取付箇所）
１６  張出部
１７  ワイヤ状バンド
１８  バンド本体
１９  ナット
２０  締付ボルト
【図１】
2011067731.tif 000003
【図２】
2011067731.tif 000004
【図３】
2011067731.tif 000005
【図４】
2011067731.tif 000006
【図５】
2011067731.tif 000007
【図６】
2011067731.tif 000008